(57)【要約】【課題】  出射光が良く混合され輝度斑がなく、高輝度の出射光を得ることができる。【解決手段】  平面照明装置１は、光源８、導光板２、ケース９を具備する。導光板２は、光を出射する表面部３と、表面部３の反対側に位置する裏面部６と、表面部３と裏面部６とに接続する側面部７の内、一対の側面部を光が反射する反射端面部４とし、反射端面部４に略平行な複数の入射面部５と互いにこの入射面部５とに接続する複数の傾斜面部６ａ，６ｂ，６ｃ，６ｄとを裏面部６に有する。一対の入射面部５間には各々光源８が配置され、一対の入射面部５の表面部３側が凹状円弧形状１０と接続される。反射体９ｂは、導光板２の表面部３以外を覆う。ケース９は、少なくとも複数の光源８と導光板２と反射体９ｂとを収納する。【選択図】    図１
2006172939.tif 000002
【特許請求の範囲】
【請求項１】
光を出射する表面部と、この表面部の反対側に位置する裏面部と、これら前記表面部と前記裏面部とに接続する側面部からなる導光板であって、
一対の前記側面部を光が反射する反射端面部とし、該反射端面部に略平行で対をなす複数の入射面部と互いにこの入射面部とに接続する複数の傾斜面部とを前記裏面部に有することを特徴とする導光板。
【請求項２】
前記入射面部は、前記反射端面部に略平行で対であるとともに前記表面部方向に凹状円弧形状と接続していることを特徴とする請求項１記載の導光板。
【請求項３】
前記入射面部は、複数のプリズムを有することを特徴とする請求項１記載の導光板。
【請求項４】
前記傾斜面部は、両端で前記反射端面部と接続し、隣り合う前記傾斜面部との成す角を９０度〜１６８度に成るような傾斜を有することを特徴とする請求項１記載の導光板。
【請求項５】
前記凹状円弧形状は、前記表面部との距離が最短部分を中心として前記入射面部に近づくほど希になるように微細な凹凸を設けることを特徴とする請求項１記載の導光板。
【請求項６】
光を出射する表面部と、この表面部の反対側に位置する裏面部と、これら前記表面部と前記裏面部とに接続する側面部の内、一対の前記側面部を光が反射する反射端面部とし、該反射端面部に略平行で対をなす複数の入射面部と互いにこの入射面部とに接続する複数の傾斜面部とを前記裏面部に有する導光板と、
前記対をなす複数の入射面部間にそれぞれ設けられ、各一対の入射面部に光を入射する複数の光源と、
前記導光板の前記表面部以外を覆う反射体と、
少なくともこれら複数の前記光源と前記導光板と前記反射体とを収納するケースとを具備することを特徴とする平面照明装置。
【請求項７】
前記光源は、冷陰極管または半導体発光素子からなることを特徴とする請求項５記載の平面照明装置。
【発明の詳細な説明】
【技術分野】
【０００１】
本発明は、導光板の一対の側面部を光が反射する反射端面部とし、裏面部に反射端面部に略平行な複数の入射面部を設け、また互いにこの入射面部に接続する複数の傾斜面部を有し、入射面部が反射端面部に略平行で対であるとともに表面部方向に凹状円弧形状と接続して、この入射面部に対向し且つ２つの入射面部の間に光源を備えて、光源からの光を複数の傾斜面部によってテーパリークを起こすような反射光を表面部に偏向し、互いに隣り合う傾斜面部の傾斜方向が異なるために表面部からの出射光が交差されて出射する導光板および平面照明装置に関するものである。
【背景技術】
【０００２】
従来の導光板および平面照明装置としては、第一の光源と第二の光源と、これら２つの光源間に配置され各光源に平行に沿う側方の第一の入射端面と第二の入射端面を有し、平面な出射面と底面を有し、この底面に楔状の反射溝を入射端面から離れるほど大きくするものが知られている。
【特許文献１】特開２００３−０２９２６０公報
【発明の開示】
【発明が解決しようとする課題】
【０００３】
上述した従来の導光板および平面照明装置は、第一の光源と第二の光源と、これら２つの光源間に配置され各光源に平行に沿う側方の第一の入射端面と第二の入射端面を有し、平面な出射面と底面を有し、この底面に楔状の反射溝を入射端面から離れるほど大きくする構成なので、一つの光源（冷陰極管（ＣＣＦＬ））に対して一つの入射端面に対応している為に光源の入射端面に対して反対側の出射面からの出射光を効率良く利用していない課題がある。
【０００４】
本発明は、上記のような課題を解決するためになされたもので、一つの光源に対して光源に対称な２つの入射面部を設け、互いにこの入射面部に接続する傾斜面部を有して、光源からの光を傾斜面部によって表面部方向に反射し、この反射された光を表面部で臨界角を破る表面部への入射角として表面部から外部にテーパリークを起こして出射することができ、光源の光を効率良く利用するとともに表面部からの出射角が傾斜面部の傾斜方向が異なるために反射端面部以外の側面部から見ると左右から出射光を得ることができ、さらに出射光が良く混合され輝度斑がなく、高輝度の出射光を得ることができる導光板およびこの導光板を用いた平面照明装置を提供することにある。
【課題を解決するための手段】
【０００５】
本発明の請求項１に係る導光板は、一対の側面部を光が反射する反射端面部とし、反射端面部に略平行で対をなす複数の入射面部と互いにこの入射面部とに接続する複数の傾斜面部とを裏面部に有することを特徴とする。
【０００６】
請求項１に係る導光板は、一対の側面部を光が反射する反射端面部とし、反射端面部に略平行で対をなす複数の入射面部と互いにこの入射面部とに接続する複数の傾斜面部とを裏面部に有するので、複数の傾斜面部によってテーパーリークを起こす様な反射光を表面部に偏向され、互いに隣り合う傾斜面部の傾斜方向が異なるために表面部からの出射光が交差されて出射する。
【０００７】
また、請求項２に係る導光板は、入射面部が、反射端面部に略平行で対であるとともに表面部方向に凹状円弧形状と接続していることを特徴とする。
【０００８】
請求項２に係る導光板は、入射面部が、反射端面部に略平行で対であるとともに表面部方向に凹状円弧形状と接続しているので、２つの入射面部との接続部分が直線で無く曲線であるために輝線の発生が無い。
【０００９】
さらに、請求項３に係る導光板は、入射面部が、複数のプリズムを有することを特徴とする。
【００１０】
請求項３に係る導光板は、入射面部が、複数のプリズムを有するので、導光板内部に広がりを持って入射することができる。
【００１１】
また、請求項４に係る導光板は、傾斜面部が、両端で反射端面部と接続し、隣り合う傾斜面部との成す角を９０度〜１６８度に成るような傾斜を有することを特徴とする。
【００１２】
請求項４に係る導光板は、傾斜面部が、両端で反射端面部と接続し、隣り合う傾斜面部との成す角を９０度〜１６８度に成るような傾斜を有するので、入射面部から導光板内に導かれた光は傾斜面部で反射し表面部方向に進む。
【００１３】
さらに、請求項５に係る導光板は、凹状円弧形状が、表面部との距離が最短部分を中心として入射面部に近づくほど希になるように微細な凹凸を設けることを特徴とする。
【００１４】
請求項５に係る導光板は、凹状円弧形状が、表面部との距離が最短部分を中心として入射面部に近づくほど希になるように微細な凹凸を設けるので、光源からの光の大部分を直接凹状円弧形状から出射せず、微細な凹凸によって散乱することができる。
【００１５】
また、請求項６に係る平面照明装置は、光を出射する表面部と、この表面部の反対側に位置する裏面部と、これら表面部と裏面部とに接続する側面部の内、一対の側面部を光が反射する反射端面部とし、反射端面部に略平行で対をなす複数の入射面部と互いにこの入射面部とに接続する複数の傾斜面部とを裏面部に有する導光板と、
対をなす複数の入射面部間にそれぞれ設けられ、各一対の入射面部に光を入射する複数の光源と、
導光板の表面部以外を覆う反射体と、
少なくともこれら複数の光源と導光板と反射体とを収納するケースとを具備することを特徴とする。
【００１６】
請求項６に係る平面照明装置は、光を出射する表面部と、この表面部の反対側に位置する裏面部と、これら表面部と裏面部とに接続する側面部の内、一対の側面部を光が反射する反射端面部とし、反射端面部に略平行で対をなす複数の入射面部と互いにこの入射面部とに接続する複数の傾斜面部とを裏面部に有する導光板と、
対をなす複数の入射面部間にそれぞれ設けられ、各一対の入射面部に光を入射する複数の光源と、
導光板の表面部以外を覆う反射体と、
少なくともこれら複数の光源と導光板と反射体とを収納するケースとを具備するので、複数の傾斜面部によってテーパーリークを起こす様な反射光を表面部に偏向され、互いに隣り合う傾斜面部の傾斜方向が異なるために表面部からの出射光が交差されて出射することができる。
【００１７】
さらに、請求項７に係る平面照明装置は、光源が、冷陰極管または半導体発光素子からなることを特徴とする。
【００１８】
請求項７に係る平面照明装置は、光源が、冷陰極管または半導体発光素子からなるので、冷陰極管（ＣＣＦＬ）では筒状に発光するため、互いに向き合う入射面部に対して一つの冷陰極管で二方向の傾斜面部方向に入射面部から光を導光板内に導くことができる。また、半導体発光素子では、インバータを用いないでも発光させることができ、振動や機械的強度に耐性がある。
【発明の効果】
【００１９】
以上のように、請求項１に係る導光板は、一対の側面部を光が反射する反射端面部とし、裏面部は反射端面部に略平行で対をなす複数の入射面部と互いにこの入射面部とに接続する複数の傾斜面部を有するので、複数の傾斜面部によってテーパーリークを起こす様な反射光を表面部に偏向され、互いに隣り合う傾斜面部の傾斜方向が異なるために表面部からの出射光が交差されて出射する。そのため、表面部からの出射光の視野角が大きいものになるとともに複数の光源からの出射光を均一にし、斑の無い出射光を得ることができる。
【００２０】
また、請求項２に係る導光板は、入射面部が、反射端面部に略平行で対であるとともに表面部方向に凹状円弧形状と接続しているので、２つの入射面部との接続部分が直線で無く曲線であるために輝線の発生が無い。そのために、輝度斑の発生も無く、見やすい出射光を得ることができる。
【００２１】
さらに、請求項３に係る導光板は、入射面部が、複数のプリズムを有するので、導光板内部に広がりを持って入射することができる。そのために、導光板全体をより均一に明るくすることができ、見やすく高輝度な出射光を得ることができる。
【００２２】
また、光源を半導体発光素子、例えばＲＧＢ（赤色、緑色、青色）半導体発光素子のような光源を備えても入射面部によってＲＧＢの光がより混合しやすくなり、導光板全体として高輝度な白色光を得ることができる。
【００２３】
また、請求項４に係る導光板は、傾斜面部が、両端で反射端面部と接続し、隣り合う傾斜面部との成す角を９０度〜１６８度に成るような傾斜を有するので、入射面部から導光板内に導かれた光は傾斜面部で反射し表面部方向に進む。そのために、表面部で臨界角を破り外部に出射することができる。
【００２４】
さらに、請求項５に係る導光板は、凹状円弧形状が、表面部との距離が最短部分を中心として入射面部に近づくほど希になるように微細な凹凸を設けるので、光源からの光の大部分を直接凹状円弧形状から出射せず、微細な凹凸によって散乱することができる。そのため、表面部から光源の存在を認識することなく、輝線等の発生を防ぐことができる。
【００２５】
また、請求項６に係る平面照明装置は、光を出射する表面部と、この表面部の反対側に位置する裏面部と、これら表面部と裏面部とに接続する側面部の内、一対の側面部を光が反射する反射端面部とし、裏面部は反射端面部に略平行で対をなす複数の入射面部と互いにこの入射面部とに接続する複数の傾斜面部を有する導光板と、
対をなす複数の入射面部間にそれぞれ設けられ、各一対の入射面部に光を入射する複数の光源と、
導光板の表面部以外を覆う反射体と、
少なくともこれら複数の光源と導光板と反射体とを収納するケースとを具備するので、複数の傾斜面部によってテーパーリークを起こす様な反射光を表面部に偏向され、互いに隣り合う傾斜面部の傾斜方向が異なるために表面部からの出射光が交差されて出射することができる。そのため、表面部からの出射光の視野角が大きいものとなるとともに複数の光源からの出射光を均一にし、斑の無い出射光を得ることができる。
【００２６】
さらに、請求項７に係る平面照明装置は、光源が、冷陰極管または半導体発光素子からなるので、冷陰極管（ＣＣＦＬ）では筒状に発光するため、互いに向き合う入射面部に対して一つの冷陰極管で二方向の傾斜面部方向に入射面部から光を導光板内に導くことができる。そのため、冷陰極管（ＣＣＦＬ）を効率良く利用することができ、部品点数および消費電力を抑えることができる。また、半導体発光素子では、インバータを用いないでも発光させることができ、振動や機械的強度に耐性がある。そのため、例えば自動車等の移動体に対応することができる。
【発明を実施するための最良の形態】
【００２７】
以下、本発明の実施の形態を添付図面に基づいて説明する。
なお、本発明は、導光板の一対の側面部を光が反射する反射端面部とし、裏面部に反射端面部に略平行な複数の入射面部を設けて、互いにこの入射面部とに接続する複数の傾斜面部を有し、入射面部が反射端面部に略平行で対であるとともに表面部方向に凹状円弧形状と接続して、この入射面部に対向し且つ２つの入射面部の間に光源を備えて、光源からの光を複数の傾斜面部によってテーパーリークを起こすような反射光を表面部に偏向し、互いに隣り合う傾斜面部の傾斜方向が異なるために表面部からの出射光が交差されて出射するために出射光が良く混合され輝度斑がなく、高輝度の出射光を得ることができる導光板およびこの導光板を用いた平面照明装置を提供するものである。
【００２８】
図１は本発明に係る平面照明装置の略斜視図、図２は本発明に係る平面照明装置の略斜視図、図３は本発明に係る導光板の略断面図、図４は本発明に係る導光体の略断面図、図５は本発明に係る導光板の光の略軌跡図、図６は本発明に係る導光板の光の略軌跡図である。
【００２９】
まず、本発明の第１形態の導光板および平面照明装置について図１、図３および図５を参照しながら説明する。図１に示すように、平面照明装置１は、導光板２と、光源３と、反射性を有するケース４とを備えて概略構成される。
【００３０】
導光体２は、屈折率が１．４〜１．７程度の透明なアクリル樹脂（ＰＭＭＡ）やポリカーボネート（ＰＣ）等で射出成形される。
【００３１】
導光板２は、図１および図３に示すように、光を出射する表面部５と、この表面部５の反対側に位置する裏面部６と、これら表面部３と裏面部６とに接続する側面部７からなる略矩形の板形状の姿をしている。
【００３２】
そして、４面の側面部７のうち対向する一対の側面部７ａ，７ａを光が反射する反射端面部８としている。また、裏面部６には、図３に示すように、反射端面部８に略平行で互いに対向した一対の入射面部９を複数設け、さらに各入射面部９に接続する傾斜面部１０（１０ａ，１０ｂ，１０ｃ，１０ｄ，１０ｅ，１０ｆ）を複数設ける。
【００３３】
また、対向する一対の入射面部９は、表面部５方向に向かって形成された凹状円弧形状１１と接続しており、断面形状が馬蹄形を成している。
【００３４】
さらに、傾斜面部１０は、入射面部９から離れるほど表面部５方向に近づくように（導光板２の厚さが薄くなるように）成し、隣の凹状円弧形状１１に接続する入射面部９からの傾斜面部１０に接続し（例えば傾斜面部１０ｂは傾斜面部１０ｃに接続し）、この２つの傾斜面部１０が接続した位置が最も表面部５方向に近づく（導光板２の厚さが薄くなる）。
【００３５】
また、導光板２において、入射面部９から入射した光は、屈折角γが０≦｜γ｜≦Ｓｉｎ-1（１／ｎ）の式を満たす範囲で導光板２内に進む。例えば一般の導光板２に使用されている樹脂材料であるアクリル樹脂の屈折率はｎ＝１．４９程度であるので、入射した光は屈折角γ＝±４２°の範囲にある。
【００３６】
また、屈折角γ＝±４２°の範囲内で導光板２内に入射した光は、導光板２と空気層（屈折率はｎ＝１）との境界面において、Ｓｉｎα＝（１／ｎ）の式により臨界角αを表すことができる。例えば一般の導光板２に使用されている樹脂材料であるアクリル樹脂の屈折率ｎはｎ＝１．４９程度であるので、臨界角αはα＝４２°程度になる。
【００３７】
さらに、図示はしないが、導光体２における表面部５や裏面部６（傾斜面部１０）には、例えば特開２００３−０３５８２４号公報などに記載されたもの等の加工が施されている。
【００３８】
よって、導光板２の入射面部９から導光板２内に導き、導光板２内に存在する光は、導光板２の厚さが一定でフラットであったり上記のような加工が施されて無ければ導光板２から外部には光が漏れず、上記のような加工が施された部分によって反射や屈折が行われ、一部の光は反射によって反射角度による偏向された光や加工が施された部分に達した光が出射面部（表面部５）で屈折し導光板２の表面部５（出射面部）から光を出射することができる。
【００３９】
また、裏面部６に設けた傾斜面部１０のように入射面部９から入射した光が進むに従い導光板２の厚さが薄くなるような場合には、傾斜面部１０で反射された光が表面部５に達したときの入射角が臨界角α以上になった時に臨界角αを破り表面部５から外部に出射する。
【００４０】
ここで、図５に導光板２の光の略軌跡図を示す。但し、ここでは複数の光源３や入射面部９および傾斜面部１０が存在するため数値にアルファベットを添付し、左方向から右に順を追って記載してある。
【００４１】
入射面部９ａおよび入射面部９ｂは、光源３ａを挟んで互いに対向する位置に存在している。同様に、入射面部９ｃおよび入射面部９ｄは、光源３ｂを挟んで互いに対向する位置に存在している。
【００４２】
入射面部９ａから図示しない左方向の反射端面部８方向に序々に表面部５との距離が近づくような（導光板２の厚さが薄くなるような）傾斜面部１０ａを有する。
【００４３】
同様に、入射面部９ｃから図示しない左方向の反射端面部８方向に序々に表面部５との距離が近づくような（導光板２の厚さが薄くなるような）傾斜面部１０ｃを有する。
【００４４】
また、入射面部９ｂから図示しない右方向の反射端面部８方向に序々に表面部５との距離が近づくような（導光板２の厚さが薄くなるような）傾斜面部１０ｂを有する。
【００４５】
同様に、入射面部９ｄから図示しない右方向の反射端面部８方向に序々に表面部５との距離が近づくような（導光板２の厚さが薄くなるような）傾斜面部１０ｄを有する。
【００４６】
そして、互いに隣り合う２つの傾斜面部１０（傾斜面部１０ｂと傾斜面部１０ｃ）は、接続した位置が最も表面部５方向に近づき、導光板２の厚さが最も薄くなる位置となるように接続されている。
【００４７】
光源３ａからの光は、入射面部９ａおよび入射面部９ｂから導光板２内に屈折角γ＝±４２°の範囲（但し、ここでは導光板２がアクリル樹脂で形成されているものとする）で入射する。そして、入射面部９ｂから傾斜面部１０ｂ方向に進んだ光線Ｌ１は、傾斜面部１０ｂで反射され、表面部５方向に進み、この反射光線Ｌ１Ｒが表面部５に達したときに傾斜面部１０ｂの傾斜角度分だけ表面部５への入射角が小さくなって臨界角αを破り、表面部５から外部に出射光Ｌ１ｏとして出射する。
【００４８】
また、入射面部１０ｂから表面部５方向に進んだ光線Ｌ４は、表面部５で反射し、この反射光線Ｌ４Ｒが傾斜面部１０ｂに達し、傾斜面部１０ｂで反射される。そして、反射光線Ｌ４Ｒ２は、表面部５方向に進み、表面部５に達したときに傾斜面部１０ｂの傾斜角度分だけ表面部５への入射角が小さくなって臨界角αを破り、表面部５から外部に出射光Ｌ４ｏとして出射する。
【００４９】
さらに、入射面部９ａから表面部５方向に進んだ光線Ｌ３は、表面部５で反射し、反射光線Ｌ３Ｒは傾斜面部１０ａに達し、傾斜面部１０ａで反射され、この反射光線Ｌ３Ｒ２は表面部５方向に進み、この反射光線Ｌ３Ｒ２が表面部５に達したときに傾斜面部１０ａの傾斜角度分だけ表面部５への入射角が小さくなって臨界角αを破り表面部５から外部に出射光Ｌ３ｏを出射する。
【００５０】
また同様に、光源３ｂからの光は、入射面部９ｃおよび入射面部９ｄから導光板２内に屈折角γ＝４２°の範囲（但し、ここでは導光板２がアクリル樹脂で形成されているものとする）で入射する。そして、入射面部９ｃから傾斜面部１０ｃ方向に進んだ光線Ｌ２は、傾斜面部１０ｃで反射され、表面部５方向に進み、この反射光線Ｌ２Ｒが表面部５に達したときに傾斜面部１０ｃの傾斜角度分だけ表面部５への入射角が小さくなって臨界角αを破り表面部５から外部に出射光Ｌ２ｏを出射する。
【００５１】
さらに、入射面部９ｃから表面部５方向に進んだ光線Ｌ５は、表面部５で反射し、反射光線Ｌ５Ｒは傾斜面部１０ｃに達し、傾斜面部１０ｃで反射され、この反射光線Ｌ５Ｒ２は表面部５方向に進み、この反射光線Ｌ５Ｒ２が表面部５に達したときに傾斜面部１０ｃの傾斜角度分だけ表面部５への入射角が小さくなって臨界角αを破り表面部５から外部に出射光Ｌ５ｏを出射する。
【００５２】
このように、光源３ａからの光は、対向する入射面部９ａおよび入射面部９ｂから光源３ａを中心として左右（隣り合う光源３方向）方向の傾斜面部１０ａおよび傾斜面部１０ｂによってテーパーリークを起こすような反射光を表面部５に偏向されて表面部５から出射する。
【００５３】
同様に、光源３ｂからの光は、対向する入射面部９ｃおよび入射面部９ｄから光源３ｂを中心として左右（隣り合う光源３方向）方向の傾斜面部１０ｃおよび傾斜面部１０ｄによってテーパーリークを起こすような反射光を表面部５に偏向されて表面部５から出射する。
【００５４】
そして、表面部５では、互いに隣り合う傾斜面部１０の傾斜方向が異なるために表面部５からの出射光が交差されて出射することができる。そのため、表面部５からの出射光の視野角が全体として大きいものとなるとともに複数の光源３からの出射光を均一にし、斑の無い出射光を得ることができる。
【００５５】
次に、本発明の第２形態の導光板および平面照明装置について図２、図４および図６を参照しながら説明する。図２に示すように、平面照明装置１ｂは、図１とは導光板の裏面部側の形状が相違しており、導光板２ｂと、光源３と、反射性を有するケース４とを備えて概略構成される。
【００５６】
導光体２ｂは、屈折率が１．４〜１．７程度の透明なアクリル樹脂（ＰＭＭＡ）やポリカーボネート（ＰＣ）等で射出成形される。
【００５７】
導光板２ｂは、図２および図４に示すように、光を出射する表面部５と、この表面部５の反対側に位置する裏面部６と、これら表面部５と裏面部６とに接続する側面部７からなる略矩形の板形状の姿をしている。
【００５８】
そして、４面の側面部７のうち対向する一対の側面部７ａ，７ａを光が反射する反射端面部８としている。また、裏面部６には、図５に示すように、反射端面部８に略平行で互いに対向した一対の入射面部９を複数設け、さらに各入射面部９に接続する傾斜面部１０（１０ａ，１０ｂ，１０ｃ，１０ｄ，１０ｅ，１０ｆ）を複数設ける。
【００５９】
また、対向する一対の入射面部９は、表面部５方向に向かって形成された凹状円弧形状１１と接続しており、断面形状が馬蹄形を成している。
【００６０】
さらに、傾斜面部１０は、入射面部９から離れるほど表面部５から離れるように（導光板２ｂの厚さが厚くなるように）成し、隣の凹状円弧形状１１に接続する入射面部９からの傾斜面部１０に接続し（例えば傾斜面部１０ｂは傾斜面部１０ｃに接続し）、この２つの傾斜面部１０が接続した位置が最も表面部５から離れる（導光板２ｂの厚さが厚くなる）。
【００６１】
また、導光板２ｂにおいて、入射面部９から入射した光は、屈折角γが０≦｜γ｜≦Ｓｉｎ-1（１／ｎ）の式を満たす範囲で導光板２ｂ内に進む。例えば一般の導光板２ｂに使用されている樹脂材料であるアクリル樹脂の屈折率はｎ＝１．４９程度であるので、入射した光は屈折角γ＝±４２°の範囲にある。
【００６２】
また、屈折角γ＝±４２°の範囲内で導光板２ｂ内に入射した光は、導光板２ｂと空気層（屈折率はｎ＝１）との境界面において、Ｓｉｎα＝（１／ｎ）の式により臨界角αを表すことができる。例えば一般の導光板２ｂに使用されている樹脂材料であるアクリル樹脂の屈折率ｎはｎ＝１．４９程度であるので、臨界角αはα＝４２°程度になる。
【００６３】
さらに、図示はしないが、導光体２ｂにおける表面部５や裏面部６（傾斜面部１０）には、例えば特開２００３−０３５８２４号公報などに記載されたもの等の加工が施されている。
【００６４】
よって、導光板２ｂの入射面部９から導光板２ｂ内に導き、導光板２ｂ内に存在する光は、導光板２ｂの厚さが一定でフラットであったり上記のような加工が施されて無ければ導光板２ｂから外部には光が漏れず、上記のような加工が施された部分によって反射や屈折が行われ、一部の光は反射によって反射角度による偏向された光や加工が施された部分に達した光が出射面部（表面部５）で屈折し導光板２ｂの表面部５（出射面部）から光を出射することができる。
【００６５】
また、裏面部６に設けた傾斜面部１０のように入射面部９から入射した光が進むに従い導光板２ｂの厚さが薄くなるような場合には、傾斜面部１０で反射された光が表面部５に達したときの入射角が臨界角α以上になった時に臨界角αを破り表面部５から外部に出射する。
【００６６】
ここで、図６に導光板２ｂの光の略軌跡図を示す。但し、ここでは複数の光源３や入射面部９および傾斜面部１０が存在するため数値にアルファベットを添付し、左方向から右に順を追って記載してある。
【００６７】
入射面部９ａおよび入射面部９ｂは、光源３ａを挟んで互いに対向する位置に存在している。同様に、入射面部９ｃおよび入射面部９ｄは、光源３ｂを挟んで互いに対向する位置に存在している。
【００６８】
入射面部９ａから図示しない左方向の反射端面部８方向に序々に表面部５との距離が離れるような（導光板２の厚さが厚くなるような）傾斜面部１０ａを有する。
【００６９】
同様に、入射面部９ｃから図示しない左方向の反射端面部８方向に序々に表面部５との距離が離れるような（導光板２の厚さが厚くなるような）傾斜面部１０ｃを有する。
【００７０】
また、入射面部９ｂから図示しない右方向の反射端面部８方向に序々に表面部５との距離が離れるような（導光板２の厚さが厚くなるような）傾斜面部１０ｂを有する。
【００７１】
同様に、入射面部９ｄから図示しない右方向の反射端面部８方向に序々に表面部５との距離が離れるような（導光板２の厚さが厚くなるような）傾斜面部１０ｄを有する。
【００７２】
そして、互いに隣り合う２つの傾斜面部１０（傾斜面部１０ｂと傾斜面部１０ｃ）は、接続した位置が最も表面部５から離れ、導光板２の厚さが厚くなる位置となるように接続されている。
【００７３】
光源３ａからの光は、入射面部９ａおよび入射面部９ｂから導光板２内に屈折角γ＝±４２°の範囲（但し、ここでは導光板２ｂがアクリル樹脂で形成されているものとする）で入射する。そして、入射面部９ｂから傾斜面部１０ｂ方向に進んだ光線Ｌ１は、傾斜面部１０ｂで反射され、表面部５方向に進み、この反射光線Ｌ１Ｒが表面部５に設けた微細な突起１２に達したときに微細な突起１２で屈折され表面部５から外部に出射光Ｌ１ｏとして出射する。
【００７４】
また、入射面部９ｂから表面部５方向に進んだ光線Ｌ３は、表面部５で反射し、この反射光線Ｌ３Ｒが傾斜面部１０ｂに達し、傾斜面部１０ｂで反射される。この反射光線Ｌ３Ｒ２は、表面部５方向に進み、表面部５に達したときに再度反射され、この反射光線Ｌ３Ｒ３が傾斜面部１０ｂと接続する傾斜面部１０ｃに進む。そして、傾斜面部１０ｃで反射した反射光線Ｌ３Ｒ４が表面部５に達したときに表面部５に設けた微細な突起１２に達したときに微細な突起１２で屈折されたり、傾斜面部１０ｃの傾斜角度分だけ微細な突起１２への入射角が小さくなって臨界角αを破り、表面部５から外部に出射光Ｌ３ｏとして出射する。
【００７５】
さらに同様に、入射面部９ａから傾斜面部１０ａ方向に進んだ光線Ｌ２は、傾斜面部１０ａで反射し、この反射光線Ｌ２Ｒが表面部５方向に進み、図示しないが表面部５に設けた微細な突起１２に達したときに微細な突起１２で屈折され、表面部５から外部に出射する。
【００７６】
また同様に、光源３ｂからの光は、入射面部９ｃおよび入射面部９ｄから導光板２内に屈折角γ＝４２°の範囲（但し、ここでは導光板２ｂがアクリル樹脂で形成されているものとする）で入射する。そして、入射面部９ｃから傾斜面部１０ｃ方向に進んだ光線Ｌ４は、傾斜面部１０ｃで反射され、表面部５方向に進み、この反射光線Ｌ４Ｒが表面部５に達したときに表面部５に設けた微細な突起１２で屈折され、表面部５から外部に出射光Ｌ４ｏとして出射する。
【００７７】
さらに、ここでは図示しないが、入射面部９ｄからの光線は、傾斜面部１０ｄで反射されて光源３ａと傾斜面部１０ｂで説明したようなプロセスによって表面部５から外部に出射光を出射する。
【００７８】
このように、光源３ａからの光は、対向する入射面部９ａおよび入射面部９ｂから光源３ａを中心として左右（隣り合う光源３方向）方向の傾斜面部１０ａおよび傾斜面部１０ｂによってテーパーリークを起こし易いような反射光を表面部５に偏向されて表面部５から出射させたり表面部５に微細な突起１２を設け、この微細な突起１２に達した光が屈折や反射を行い臨界角を破り出射する。
【００７９】
同様に、光源３ｂからの光は、対向する入射面部９ｃおよび入射面部９ｄから光源３ｂを中心として左右（隣り合う光源３方向）方向の傾斜面部１０ｃおよび傾斜面部１０ｄによってテーパーリークを起こし易いような反射光を表面部５に偏向されて表面部５から出射させたり表面部５に微細な突起１２を設け、この微細な突起１２に達した光が屈折や反射を行い臨界角を破り出射する。
【００８０】
そして、表面部５では、互いに隣り合う傾斜面部１０の傾斜方向が異なるために表面部５からの出射光が交差されて出射することができる。そのため、表面部５からの出射光の視野角が全体として大きいものとなるとともに複数の光源３からの出射光を均一にし、斑の無い出射光を得ることができる。
【００８１】
また、図示しないが、これら凹状円弧形状１１は、表面部５との距離が最短部分を中心として入射面部９に近づくほど希になるように微細な凹凸を設ける構成としてもよい。この構成によれば、光源３の凹状円弧形状１１方向に出射する光の大部分を直接凹状円弧形状１１より表面部５から出射せず、微細な凹凸によって散乱することができ、表面部５の上方から光源３の存在を認識することなく、輝線等の発生を防ぐことができる。
【００８２】
さらに、光源３が半導体発光素子（ＬＥＤ）のような場合に、半導体発光素子の発光色が赤色発光（Ｒ）、緑色発光（Ｇ）、青色発光（Ｂ）であっても其々の発光色が直接表面部５から出射せずに白色の出射光として出射することができる。
【００８３】
光源３は、冷陰極管（ＣＣＦＬ）や半導体発光素子（ＬＥＤやレーザ等）からなり、冷陰極管（ＣＣＦＬ）の場合には入射面部９と凹状円弧形状１１との中間位置に平行に設ける。
【００８４】
また、半導体発光素子（ＬＥＤやレーザ等）の場合には、飛び飛びにケース１２の底部に設けたり、アレー状に並設し、半導体発光素子（ＬＥＤやレーザ等）自身が白色光でない場合には赤色発光（Ｒ）、緑色発光（Ｇ）、青色発光（Ｂ）の半導体発光素子を交互に設ける。
【００８５】
特に、光源３が半導体発光素子の場合は、４元素化合物やＩｎＧａＡｌＰ系、ＩｎＧａＡｌＮ系、ＩｎＧａＮ系等の化合物の高輝度の発光素子を用いる。
【００８６】
また、半導体発光素子と波長変換材とを用いて白色光を得ても良い。例えば、ＩｎＧａＡｌＮ系の半導体発光素子の青色発光の出射光によって励起し黄色や橙色等に発光する波長変換材（ＹＡＧ系）を混入した透明接着剤を設け、半導体発光素子自身の青色発光色と波長変換材からの黄色や橙色等の発光色とによって混合された発光色が白色となる。
【００８７】
ケース９は、変成ポリアミド、ポリブチレンテレフタレート、ナイロン４６や芳香族系ポリエステル等からなる液晶ポリマなどの絶縁性の有る樹脂材料に、光の反射性を良くするとともに遮光性を得るために酸化チタン等の白色粉体を混入させたものを加熱射出成形によって成形する。
【００８８】
また、ケース４の底部の表面は完全に鏡面でなくとも良く、微細な凹凸の加工を施しても良い。これにより、広がりの有る反射光を得ることができる。また、ケース４の底部を金属蒸着させて完全反射をするようにしても良い。さらに、ケース４は、内側底部に反射体９ｂを敷いても良い。
【００８９】
以上のように本発明は、導光板の一対の側面部を光が反射する反射端面部とし、裏面部に反射端面部に略平行に一つの光源に対して光源に対称な２つの入射面部を複数設けて、互いにこの入射面部とに接続する複数の傾斜面部を有するとともに入射面部が反射端面部に略平行で対であるとともに表面部方向に凹状円弧形状と接続して、この入射面部に対向し且つ２つの入射面部の間に光源を備えて構成される。これにより、光源からの光を複数の傾斜面部によって表面部方向に反射され、その光が表面部で臨界角を破る表面部への入射角となり、表面部から外部にテーパーリークを起こすような反射光を表面部に偏向し、互いに隣り合う傾斜面部の傾斜方向が異なるために表面部からの出射光が交差されて出射する。その結果、出射光が良く混合され輝度斑がなく、高輝度の出射光を得ることができる導光板および平面照明装置を提供することができる。
【産業上の利用可能性】
【００９０】
大型の液晶表示装置等のバックライト用光源などに適し、特に高輝度で視野角が広い出射光を得ることができるため例えば液晶テレビ等に適した導光板および平面照明装置を提供することができる。
【図面の簡単な説明】
【００９１】
【図１】本発明に係る平面照明装置の略斜視図である。
【図２】本発明に係る平面照明装置の略斜視図である。
【図３】本発明に係る導光板の略断面図である。
【図４】本発明に係る導光体の略断面図である。
【図５】本発明に係る導光板の光の略軌跡図である。
【図６】本発明に係る導光板の光の略軌跡図である。
【符号の説明】
【００９２】
１，１ｂ  平面照明装置
２，２ｂ  導光板
３（３ａ，３ｂ）  光源
４  ケース
４ｂ  反射体
５  表面部
６  裏面部
７（７ａ，７ｂ）  側面部
８  反射端面部（側面部）
９（９ａ，９ｂ，９ｃ，９ｄ）  入射面部
１０（１０ａ，１０ｂ，１０ｃ，１０ｄ，１０ｅ，１０ｆ）  傾斜面部
１１  凹状円弧形状
１２  微細な突起
Ｌ１，Ｌ２，Ｌ３  光線
Ｌ４，Ｌ５，Ｌ１Ｒ  光線
Ｌ２Ｒ，Ｌ３Ｒ，Ｌ４Ｒ  光線
Ｌ５Ｒ，Ｌ１ｏ，Ｌ２ｏ  光線
Ｌ３ｏ，Ｌ４ｏ，Ｌ５ｏ  光線
Ｌ３Ｒ２，Ｌ４Ｒ２  光線
Ｌ４Ｒ２  光線
γ  屈折角
ｎ  屈折率
α  臨界角
【図１】
2006172939.tif 000003
【図２】
2006172939.tif 000004
【図３】
2006172939.tif 000005
【図４】
2006172939.tif 000006
【図５】
2006172939.tif 000007
【図６】
2006172939.tif 000008